(57)【要約】【課題】取付台座と本体とが離脱し難く、取付の過程中にバネが脱落しなく、埃が取付台座にある孔に侵入することを防止できる。【解決手段】本体と、バネと、取付台座と、防塵蓋と、を含む光ファイバー/同軸ケーブル両方使用可能なコネクターにおいて、前記防塵蓋は、取付台座にある孔をカバーし、取付台座にある枢孔に定位され、且つ前記バネが本体にあるバネ台座内に収容され、前記バネの弾力が防塵蓋を付勢して、防塵蓋が取付台座にある孔をカバーすることにより、埃の取付台座への侵入を防止することができ、且つ各部品の組合が極めて容易であり、組合作業時間を短縮することができ、なお、前記取付台座には、本体に設けた取付用斜面係り溝および係りフックと対応し結合するための取付用斜面係り溝および係止孔が設けてあるので、前記取付台座の本体への取付は定位が簡単で脱落し難い。【選択図】図１
0003107188.tif 000002
【実用新案登録請求の範囲】
【請求項１】
本体と、バネと、取付台座と、防塵蓋と、を含む光ファイバー/同軸ケーブル両方使用可能なコネクターにおいて、
前記本体は、一つの収容孔が開けてあり、二つの取付用斜面係り溝が対向に設けてあり、前記取付用斜面係り溝には一つの係りフックがそれぞれ設けてあり、また、その一側に一つのバネ台座が設けてあり、
前記バネは、本体の前記バネ台座内に収容され、且つバネ第一端が本体の収容孔から突出し、バネ第二端が本体のバネ台座にある貫通孔に引っ掛けられ、
前記取付台座は、コ字形の外形を呈し、一頂部と二突出面とが設けてあり、前記頂部に一つの孔が開けてあり、且つ前記頂部と前記二突出面とが対向して一つの開放口に形成し、前記突出面の下端には取付用斜面が突設してあり、前記取付用斜面に一つの係止孔がそれぞれ開けてあり、前記取付台座が取付用斜面により本体の取付用斜面にある係り溝と嵌合し、また、前記取付台座が係止孔により本体の係りフックと係合し、なお、前記頂部の下の対向する二壁面には枢孔がそれぞれ形成してあり、
前記防塵蓋は、扇形の外形を呈し、両側に枢軸がそれぞれ設けてあり、且つ前記枢軸が前記取付台座にある枢孔に挿入して枢接され、前記バネ第一端が防塵蓋の底部に付勢することを特徴とする、
光ファイバー/同軸ケーブル両方使用可能なコネクター。
【請求項２】
前記防塵蓋の底部には一つの制限スライド溝が形成してあり、前記バネ第一端が前記制限スライド溝に付勢することを特徴とする、請求項１に記載の光ファイバー/同軸ケーブル両方使用可能なコネクター。
【請求項３】
前記取付台座の壁面と頂部との間には、本体の溝台座の上端にある段階部と対応する段階部が形成してあることを特徴とする、請求項１に記載の光ファイバー/同軸ケーブル両方使用可能なコネクター。
【請求項４】
前記防塵蓋の頂部には、光ファイバー・プラグを案内するためのスライド溝通路が形成してあることを特徴とする、請求項１に記載の光ファイバー/同軸ケーブル両方使用可能なコネクター。
【請求項５】
前記スライド溝通路には、光ファイバー・プラグを案内するための相互に平行する二つの溝が設けてあることを特徴とする、請求項１に記載の光ファイバー/同軸ケーブル両方使用可能なコネクター。
【考案の詳細な説明】
【技術分野】
【０００１】
本考案はコネクターに係り、特に光ファイバー/同軸ケーブル両方使用可能なコネクターに関するものである。
【背景技術】
【０００２】
目下、一般の光信号の伝送は光発射接収装置（例えば、レーザ・ダイオード）により光信号を提供して、光信号が光ファイバーの一端から光ファイバーに入射して、光ファイバーの他端から出力した後、他の光発射接収装置により接収する。光発射接収装置と光ファイバーとが別体の部品なので、接続部品により、それらを接続することが必要になる。
【０００３】
従来の光ファイバー発射接収ヘッドは、その端子挿入孔に防塵構造が設けなかったので、端子脱着の過程中に埃が光ファイバー発射接収ヘッドに侵入することにより、光信号の伝送が妨害された。
【考案の開示】
【考案が解決しようとする課題】
【０００４】
本考案の主な目的は、取付台座と本体とが離脱し難く、取付の過程中にバネが脱落しない光ファイバー/同軸ケーブル両方使用可能なコネクターを提供する。
【０００５】
本考案の次の目的は、埃が取付台座にある孔に侵入することを防止できる光ファイバー/同軸ケーブル両方使用可能なコネクターを提供する。
【課題を解決するための手段】
【０００６】
上記目的を達成するためになされた本願の考案は、本体と、バネと、取付台座と、防塵蓋と、を含む光ファイバー/同軸ケーブル両方使用可能なコネクターにおいて、前記本体は、一つの収容孔が開けてあり、二つの取付用斜面係り溝が対向に設けてあり、前記取付用斜面係り溝には一つの係りフックがそれぞれ設けてあり、また、その一側に一つのバネ台座が設けてあり、前記バネは、本体の前記バネ台座内に収容され、且つバネ第一端が本体の収容孔から突出し、バネ第二端が本体のバネ台座にある貫通孔に引っ掛けられ、前記取付台座は、コ字形の外形を呈し、一頂部と二突出面とが設けてあり、前記頂部に一つの孔が開けてあり、且つ前記頂部と前記二突出面とが対向して一つの開放口に形成し、前記突出面の下端には取付用斜面が突設してあり、前記取付用斜面に一つの係止孔がそれぞれ開けてあり、前記取付台座が取付用斜面により本体の取付用斜面にある係り溝と嵌合し、また、前記取付台座が係止孔により本体の係りフックと係合し、なお、前記頂部の下の対向する二つの壁面には枢孔がそれぞれ形成してあり、前記防塵蓋は、扇形の外形を呈し、両側に枢軸がそれぞれ設けてあり、且つ前記枢軸が前記取付台座にある枢孔に挿入して枢接され、前記バネ第一端が防塵蓋の底部に付勢することを特徴とする光ファイバー/同軸ケーブル両方使用可能なコネクターであることを要旨としている。
【０００７】
本願の考案では、前記防塵蓋の底部には一つの制限スライド溝が形成してあり、前記バネ第一端が前記制限スライド溝に付勢することを特徴とする請求項１に記載の光ファイバー/同軸ケーブル両方使用可能なコネクターであることを要旨としている。
【０００８】
本願の考案では、前記取付台座の壁面と頂部との間には、本体の溝台座の上端にある段階部と対応する段階部が形成してあることを特徴とする請求項１に記載の光ファイバー/同軸ケーブル両方使用可能なコネクターであることを要旨としている。
【０００９】
本願の考案では、前記防塵蓋の頂部には、光ファイバー・プラグを案内するためのスライド溝通路が形成してあることを特徴とする請求項１に記載の光ファイバー/同軸ケーブル両方使用可能なコネクターであることを要旨としている。
【００１０】
本願の考案では、前記スライド溝通路には、光ファイバー・プラグを案内するための相互に平行する二つの溝が設けてあることを特徴とする請求項１に記載の光ファイバー/同軸ケーブル両方使用可能なコネクターであることを要旨としている。
【考案の効果】
【００１１】
本考案に係る光ファイバー/同軸ケーブル両方使用可能なコネクターによれば、次のような効果がある。
【００１２】
（イ）取付台座と本体とが離脱し難く、取付けの過程中にバネが脱落しない。
【００１３】
（ロ）埃が取付台座にある孔に侵入することを防止できる。
【考案を実施するための最良の形態】
【００１４】
以下、添付図面を参照して本考案の好適な実施の形態を詳細に説明する。
【００１５】
まず、図１と図２を参照する。本考案に係る光ファイバー/同軸ケーブル両方使用可能なコネクターは、主に本体１０と、バネ２０と、取付台座３０と、防塵蓋４０とを含む。
【００１６】
前記本体１０は、一つの体成形した長方体を呈し、その中央に一つの収容孔１１が開けてあり、図３に示すように、一側の壁面１２に一つの取付用斜面係り溝１３が設けてあり、前記取付用斜面係り溝１３と対応する二側辺が窪み斜面１３１，１３２であり、前記取付用斜面係り溝１３の表面に一つの係りフック１３３が設けてあり、壁面１２と対応する壁面１４に一つの溝台座１５が突設してあり、また、前記溝台座１５には、壁面１４と収容孔１１との間に一つのバネ台座１５１が設けてあり、図３に示すように、前記バネ台座１５１の溝壁に一つの貫通孔１５１１が開けてあり、前記溝台座１５の外面に一つの取付用斜面係り溝１５２が設けてあり、前記取付用斜面係り溝１５２と対応する二側辺が窪み斜面１５２１，１５２２であり、前記取付用斜面係り溝１５２の表面に一つの係りフック１５３が設けてあり、且つ前記溝台座１５の上端に窪み部１５４，１５５がそれぞれ形成してあり、また、本体１０の上端に支持部１６１，１６２が突設してあり、前記支持部１６１と、本体１０の頂面との間に一つの係り溝１６３が形成してあり、なお、支持部１６２と、本体１０の頂面との間に一つの係り溝１６４が形成してある。
【００１７】
前記バネ２０は、図３に示すように、トルクばねであり、本体１０の前記バネ台座１５１内に収容され、且つバネ第一端２１が本体１０の収容孔１１から突出し、バネ第二端２２が本体１０のバネ台座１５１にある貫通孔１５１１に引っ掛けられる。
【００１８】
前記取付台座３０は、コ字形の外形を呈し、一つの頂部３１と対向する二つの突出面３２，３３とが設けてあり、前記頂部３１に一つの孔３４が開けてあり、前記突出面３２の下端には取付用斜面３２１が突設してあり、前記取付用斜面３２１の両側には斜面３２１１，３２１２が設けてあり、前記取付用斜面３２１に一つの係止孔３２２が開けてあり、前記突出面３３の下端には取付用斜面３３１が突設してあり、前記取付用斜面３３１の両側には斜面３３１１，３３１２が設けてあり、前記取付用斜面３３１に一つの係止孔３３２が開けてあり、また、前記取付台座３０には対向する二壁面３５，３６が別に設けてあり、前記壁面３５に一つの枢孔３５１が開けてあり、前記壁面３６に一つの枢孔３６１が開けてあり、なお、前記壁面３５の底面３５２が頂部３１と平行し、前記壁面３６の底面３６２が頂部３１と平行し、突出面３３と頂部３１との垂直に連続する箇所では二つの段階部３７，３８が設けてある。
【００１９】
前記防塵蓋４０は、扇形の外形を呈し、両側に枢軸４１がそれぞれ設けてあり、前記防塵蓋４０の底部には一つの制限スライド溝４２が形成してあり、また、前記防塵蓋４０の頂部には一つのスライド溝通路４３が形成してあり、前記スライド溝通路４３には相互に平行する二つの溝４４が設けてある。
【００２０】
次に、図１乃至図３を参照して本考案の作動方式および効果を説明する。本考案に係る取付台座３０はほぼコ字形を呈し、且つ防塵蓋４０の枢軸４１が取付台座３０の枢孔３５１，３６１と嵌合して枢接し、なお、脱着の過程中に防塵蓋４０が取付台座３０から脱落しないので、防塵蓋４０を取付台座３０に取付することが極めて便利である。
【００２１】
前記取付台座３０の突出面３２の下端には取付用斜面３２１が突設してあり、前記取付用斜面３２１の両側には斜面３２１１，３２１２が設けてあり、前記取付台座３０の突出面３３の下端には取付用斜面３３１が突設してあり、前記取付用斜面３３１の両側には斜面３３１１，３３１２と係止孔３２２，３３２とが設けてあり、それらは本体１０の取付用斜面係り溝１３の両側にある窪み斜面１３１，１３２と、取付用斜面係り溝１５２の両側にある窪み斜面１５２１，１５２２と係りフック１３３，１５３と対応するので、前記取付台座３０の本体１０への取付けは定位が簡単で脱落し難い。
【００２２】
前記取付台座３０には本体１０の窪み部１５４，１５５と対応するための段階部３７，３８が設けてあり、且つ前記取付台座３０には本体１０の頂面にある係り溝１６３，１６４と対応するための壁面３５２，３６２が設けてあるので、前記取付台座３０と本体１０との組合が極めて容易であり、組合作業時間を短縮することができる。
【００２３】
前記防塵蓋４０の頂部にあるスライド溝通路４３は、光ファイバー・プラグを案内するための相互に平行する二つの溝４４が設けてある。
【００２４】
また、図４を参照する。使用者が光ファイバー・プラグを取付けるときには、防塵蓋４０の頂部のスライド溝通路４３内に前記プラグを当接して、前記スライド溝通路４３の溝４４に沿ってスライドすると、プラグを本体内に挿入することが極めて便利である。また、使用者が光ファイバー・プラグを抜き出すときには、バネ２０の弾力が防塵蓋４０を付勢して、防塵蓋４０が取付台座３０にある孔３４をカバーすることにより、埃の取付台座３０への侵入を防止することができる。
【図面の簡単な説明】
【００２５】
【図１】本考案の実施例の組合状態を示す斜視図である。
【図２】本考案の実施例の分解斜視図である。
【図３】本考案の実施例にコネクターを挿入していない状態の一部の断面図である。
【図４】本考案の実施例に端子を挿入する動作を示す拡大断面図である。
【符号の説明】
【００２６】
１０      本体                    １１      収容孔
１２      壁面                    １３      取付用斜面係り溝
１３１    窪み斜面                １３２    窪み斜面
１３３    係りフック              １４      壁面
１５      溝台座                  １５１    バネ台座
１５１１  貫通孔                  １５２    取付用斜面係り溝
１５２１  窪み斜面                １５２２  窪み斜面
１５３    係りフック              １５４    窪み部
１５５    窪み部                  １６１    支持部
１６２    支持部                  １６３    係り溝
１６４    係り溝
２０      バネ                    ２１      バネ第一端
２２      バネ第二端
３０      取付台座                ３１      頂部
３２      突出面                  ３３      突出面
３４      孔                      ３２１    取付用斜面
３２１１  斜面                    ３２１２  斜面
３２２    係止孔                  ３３１    取付用斜面
３３１１  斜面                    ３３２    係止孔
３４      孔                      ３５      壁面
３６１    枢孔                    ３６２    底面
３７      段階部                  ３８      段階部
４０      防塵蓋                  ４１      枢軸
４２      制限スライド溝          ４３      スライド溝通路
４４      溝
【図１】
0003107188.tif 000003
【図２】
0003107188.tif 000004
【図３】
0003107188.tif 000005
【図４】
0003107188.tif 000006